【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
燃料タンク（２）内から内燃機関（３）へ燃料を供給する燃料供給装置（１）において、
前記燃料タンクの上壁（２ａ）に取り付けられる蓋体（１０）と、
前記燃料タンクの底壁（２ｃ）上に載置されて前記燃料タンク内の燃料を前記内燃機関へ向かって吐出するポンプユニット（２０）と、
前記蓋体と前記ポンプユニットとの間を連結している連結支柱（３０）とを、備え、
前記連結支柱は、
前記蓋体の下方に延伸しているアッパ支柱（３２，４０３２，５０３２，６０３２）と、
前記ポンプユニットに装着されて前記アッパ支柱に上下にスライド嵌合しているロア支柱（３１，２０３１，３０３１，４０３１，７０３１）とを、有し、
前記ロア支柱の特定箇所（Ｓｃ，Ｓｐ）には、断面係数の減少により応力の集中する応力集中部（３１３，２３１３）が設けられており、
前記アッパ支柱内には、前記ロア支柱が下方からスライド嵌合しており、
前記応力集中部は、前記ロア支柱において前記アッパ支柱外の特定箇所（Ｓｃ，Ｓｐ）に設けられており、
前記アッパ支柱は、中空筒状部分（３２０ａ）を形成しているアッパ筒部（３２０，４３２０，５３２０，６３２０）と、中実柱状部分（３２１ａ）を形成しているアッパ柱部（３２１，４３２１，５３２１，６３２１）とを、含んで構成され、
前記ロア支柱は、中実柱状部分（３１１ａ）を形成しているロア柱部（３１１，４３１１，７３１１）と、中空筒状部分（３１２ａ，２３１２ａ）を形成しているロア筒部（３１２，２３１２，４３１２，７３１２）とを、含んで構成され、
前記アッパ筒部の中空筒状部分（３２０ａ）内には、前記ロア柱部が下方からスライド嵌合しており、
前記ロア筒部の中空筒状部分（３１２ａ，２３１２ａ）内には、前記アッパ柱部が上方からスライド嵌合しており、
前記応力集中部は、前記ロア柱部及び前記ロア筒部の少なくとも一方における特定箇所（Ｓｃ，Ｓｐ）に設けられている燃料供給装置。
【請求項２】
燃料タンク（２）内から内燃機関（３）へ燃料を供給する燃料供給装置（１）において、
前記燃料タンクの上壁（２ａ）に取り付けられる蓋体（１０）と、
前記燃料タンクの底壁（２ｃ）上に載置されて前記燃料タンク内の燃料を前記内燃機関へ向かって吐出するポンプユニット（２０）と、
前記蓋体と前記ポンプユニットとの間を連結している連結支柱（３０）とを、備え、
前記連結支柱は、
前記蓋体の下方に延伸しているアッパ支柱（３２，４０３２，５０３２，６０３２）と、
前記ポンプユニットに装着されて前記アッパ支柱に上下にスライド嵌合しているロア支柱（３１，２０３１，３０３１，４０３１，７０３１）とを、有し、
前記ロア支柱の特定箇所（Ｓｃ，Ｓｐ）には、断面積の減少により応力の集中する応力集中部（３１３，２３１３）が設けられており、
前記アッパ支柱内には、前記ロア支柱が下方からスライド嵌合しており、
前記応力集中部は、前記ロア支柱において前記アッパ支柱外の特定箇所（Ｓｃ，Ｓｐ）に設けられており、
前記アッパ支柱は、中空筒状部分（３２０ａ）を形成しているアッパ筒部（３２０，４３２０，５３２０，６３２０）と、中実柱状部分（３２１ａ）を形成しているアッパ柱部（３２１，４３２１，５３２１，６３２１）とを、含んで構成され、
前記ロア支柱は、中実柱状部分（３１１ａ）を形成しているロア柱部（３１１，４３１１，７３１１）と、中空筒状部分（３１２ａ，２３１２ａ）を形成しているロア筒部（３１２，２３１２，４３１２，７３１２）とを、含んで構成され、
前記アッパ筒部の中空筒状部分（３２０ａ）内には、前記ロア柱部が下方からスライド嵌合しており、
前記ロア筒部の中空筒状部分（３１２ａ，２３１２ａ）内には、前記アッパ柱部が上方からスライド嵌合しており、
前記応力集中部は、前記ロア柱部及び前記ロア筒部の少なくとも一方における特定箇所（Ｓｃ，Ｓｐ）に設けられている燃料供給装置。
【請求項３】
前記応力集中部は、前記ロア支柱において前記底壁から荷重を受ける下端部（３１ａ）の直上に位置した特定箇所（Ｓｃ，Ｓｐ）に、設けられている請求項１又は２に記載の燃料供給装置。
【請求項４】
前記応力集中部（３１３）は、前記ロア柱部の中実柱状部分（３１１ａ）における特定箇所（Ｓｃ）に設けられている請求項１〜３のいずれか一項に記載の燃料供給装置。
【請求項５】
前記アッパ柱部の中実柱状部分（３２１ａ）は、前記アッパ筒部の中空筒状部分（３２０ａ）からリブ状に連続している請求項１〜４のいずれか一項に記載の燃料供給装置。
【請求項６】
前記応力集中部（３１３）は、前記ロア支柱（３１，３０３１，４０３１，７０３１）において斜めカット状に形成されている請求項１〜５のいずれか一項に記載の燃料供給装置。
【請求項７】
前記応力集中部（２３１３）は、前記ロア支柱（２０３１）において凹み状に形成されている請求項１〜６のいずれか一項に記載の燃料供給装置。
【請求項８】
前記アッパ支柱に対する前記ロア支柱（３１，２０３１，４０３１，７０３１）のスライド嵌合長さが最大となるとき、前記ロア支柱の上端部（３１１ｃ，４３１１ｃ，７３１１ｃ）が前記アッパ支柱により係止される請求項１〜７のいずれか一項に記載の燃料供給装置。
【請求項９】
前記ロア支柱（３０３１）は、前記ロア支柱の上端部（３１１ｃ）よりも下方に係止部（３３１５）を、有し、
前記アッパ支柱に対する前記ロア支柱（３０３１）のスライド嵌合長さが最大となるとき、前記係止部が前記アッパ支柱により係止される請求項１〜７のいずれか一項に記載の燃料供給装置。
【請求項１０】
前記連結支柱は、前記アッパ支柱に係止されて下方へ向かう復原力を前記ロア支柱（３１，２０３１，３０３１，４０３１，７０３１）に作用させる弾性部材（３３）を、さらに有し、
前記アッパ支柱は、横に並ぶ第１アッパ部（３２０，４３２０，５３２０，６３２０）と第２アッパ部（３２１，４３２１，５３２１，６３２１）とを、含んで構成され、
前記ロア支柱は、横に並ぶ第１ロア部（３１１，４３１１，７３１１）と第２ロア部（３１２，２３１２，４３１２，７３１２）とを、含んで構成され、
前記第１ロア部は、前記第１アッパ部に対して上下にスライド嵌合していると共に、前記第１アッパ部との間に前記弾性部材を挟持しており、
前記第２ロア部は、前記第２アッパ部に対して上下にスライド嵌合しており、
前記応力集中部は、前記第１ロア部における特定箇所（Ｓｃ）に設けられている請求項１〜９のいずれか一項に記載の燃料供給装置。
【請求項１１】
前記アッパ支柱は、横に並ぶ第１アッパ部（３２０，４３２０，５３２０，６３２０）と第２アッパ部（３２１，４３２１，５３２１，６３２１）とを、一体にして構成され、
前記ロア支柱（３１，２０３１，３０３１，４０３１，７０３１）は、横に並ぶ第１ロア部（３１１，４３１１，７３１１）と第２ロア部（３１２，２３１２，４３１２，７３１２）とを、一体にして構成され、
前記第１ロア部は、前記第１アッパ部に対して第１嵌合初期位置（Ｐ１）から上下にスライド嵌合しており、
前記第２ロア部は、前記第１アッパ部に対する前記第１ロア部のスライド嵌合が前記第１嵌合初期位置よりも進んでいる第２嵌合初期位置（Ｐ２）から、前記第２アッパ部に対して上下にスライド嵌合している請求項１〜１０のいずれか一項に記載の燃料供給装置。
【請求項１２】
前記第１アッパ部（３２０）の第１下端部（３２０ｃ）は、前記第２アッパ部（３２１）の第２下端部（３２１ｃ）と上下に位置合わせされており、
前記第１ロア部（３１１）の第１上端部（３１１ｃ）は、前記第２ロア部（３１２，２３１２）の第２上端部（３１２ｃ）よりも上方にずれている請求項１１に記載の燃料供給装置。
【請求項１３】
前記第１アッパ部（４３２０）の第１下端部（４３２０ｃ）は、前記第２アッパ部（４３２１）の第２下端部（４３２１ｃ）よりも下方にずれており、
前記第１ロア部（４３１１）の第１上端部（４３１１ｃ）は、前記第２ロア部（４３１２）の第２上端部（４３１２ｃ）と上下に位置合わせされている請求項１１に記載の燃料供給装置。
【請求項１４】
前記第１アッパ部（５３２０）の第１下端部（５３２０ｃ）は、前記第２アッパ部（５３２１）の第２下端部（５３２１ｃ）よりも下方にずれており、
前記第１ロア部（３１１）の第１上端部（３１１ｃ）は、前記第２ロア部（３１２）の第２上端部（３１２ｃ）よりも上方にずれている請求項１１に記載の燃料供給装置。
【請求項１５】
前記第１アッパ部（６３２０）の第１下端部（６３２０ｃ）は、前記第２アッパ部（６３２１）の第２下端部（６３２１ｃ）よりも上方にずれており、
前記第１ロア部（３１１）の第１上端部（３１１ｃ）は、前記第２ロア部（３１２）の第２上端部（３１２ｃ）よりも上方にずれており、
前記第２上端部に対する前記第１上端部のずれ量（Ｘ）は、前記第２下端部に対する前記第１下端部のずれ量（Ｙ）よりも大きい請求項１１に記載の燃料供給装置。
【請求項１６】
前記第１アッパ部（４３２０）の第１下端部（４３２０ｃ）は、前記第２アッパ部（４３２１）の第２下端部（４３２１ｃ）よりも下方にずれており、
前記第１ロア部（７３１１）の第１上端部（７３１１ｃ）は、前記第２ロア部（７３１２）の第２上端部（７３１２ｃ）よりも下方にずれており、
前記第２下端部に対する前記第１下端部のずれ量（Ｙ）は、前記第２上端部に対する前記第１上端部のずれ量（Ｘ）よりも大きい請求項１１に記載の燃料供給装置。
【手続補正２】
【補正対象書類名】明細書
【補正対象項目名】０００８
【補正方法】変更
【補正の内容】
【０００８】
上述の課題を解決するために開示された第１発明は、
燃料タンク（２）内から内燃機関（３）へ燃料を供給する燃料供給装置（１）において、
燃料タンクの上壁（２ａ）に取り付けられる蓋体（１０）と、
燃料タンクの底壁（２ｃ）上に載置されて燃料タンク内の燃料を内燃機関へ向かって吐出するポンプユニット（２０）と、
蓋体とポンプユニットとの間を連結している連結支柱（３０）とを、備え、
連結支柱は、
蓋体の下方に延伸しているアッパ支柱（３２，４０３２，５０３２，６０３２）と、
ポンプユニットに装着されてアッパ支柱に上下にスライド嵌合しているロア支柱（３１，２０３１，３０３１，４０３１，７０３１）とを、有し、
ロア支柱の特定箇所（Ｓｃ，Ｓｐ）には、断面係数の減少により応力の集中する応力集中部（３１３，２３１３）が設けられており、
アッパ支柱内には、ロア支柱が下方からスライド嵌合しており、
応力集中部は、ロア支柱においてアッパ支柱外の特定箇所（Ｓｃ，Ｓｐ）に設けられており、
アッパ支柱は、中空筒状部分（３２０ａ）を形成しているアッパ筒部（３２０，４３２０，５３２０，６３２０）と、中実柱状部分（３２１ａ）を形成しているアッパ柱部（３２１，４３２１，５３２１，６３２１）とを、含んで構成され、
ロア支柱は、中実柱状部分（３１１ａ）を形成しているロア柱部（３１１，４３１１，７３１１）と、中空筒状部分（３１２ａ，２３１２ａ）を形成しているロア筒部（３１２，２３１２，４３１２，７３１２）とを、含んで構成され、
アッパ筒部の中空筒状部分（３２０ａ）内には、ロア柱部が下方からスライド嵌合しており、
ロア筒部の中空筒状部分（３１２ａ，２３１２ａ）内には、アッパ柱部が上方からスライド嵌合しており、
応力集中部は、ロア柱部及びロア筒部の少なくとも一方における特定箇所（Ｓｃ，Ｓｐ）に設けられている。
【手続補正３】
【補正対象書類名】明細書
【補正対象項目名】００１０
【補正方法】変更
【補正の内容】
【００１０】
また、上述の課題を解決するために開示された第２発明は、
燃料タンク（２）内から内燃機関（３）へ燃料を供給する燃料供給装置（１）において、
燃料タンクの上壁（２ａ）に取り付けられる蓋体（１０）と、
燃料タンクの底壁（２ｃ）上に載置されて燃料タンク内の燃料を内燃機関へ向かって吐出するポンプユニット（２０）と、
蓋体とポンプユニットとの間を連結している連結支柱（３０）とを、備え、
連結支柱は、
蓋体の下方に延伸しているアッパ支柱（３２，４０３２，５０３２，６０３２）と、
ポンプユニットに装着されてアッパ支柱に上下にスライド嵌合しているロア支柱（３１，２０３１，３０３１，４０３１，７０３１）とを、有し、
ロア支柱の特定箇所（Ｓｃ，Ｓｐ）には、断面積の減少により応力の集中する応力集中部（３１３，２３１３）が設けられており、
アッパ支柱内には、ロア支柱が下方からスライド嵌合しており、
応力集中部は、ロア支柱においてアッパ支柱外の特定箇所（Ｓｃ，Ｓｐ）に設けられており、
アッパ支柱は、中空筒状部分（３２０ａ）を形成しているアッパ筒部（３２０，４３２０，５３２０，６３２０）と、中実柱状部分（３２１ａ）を形成しているアッパ柱部（３２１，４３２１，５３２１，６３２１）とを、含んで構成され、
ロア支柱は、中実柱状部分（３１１ａ）を形成しているロア柱部（３１１，４３１１，７３１１）と、中空筒状部分（３１２ａ，２３１２ａ）を形成しているロア筒部（３１２，２３１２，４３１２，７３１２）とを、含んで構成され、
アッパ筒部の中空筒状部分（３２０ａ）内には、ロア柱部が下方からスライド嵌合しており、
ロア筒部の中空筒状部分（３１２ａ，２３１２ａ）内には、アッパ柱部が上方からスライド嵌合しており、
応力集中部は、ロア柱部及びロア筒部の少なくとも一方における特定箇所（Ｓｃ，Ｓｐ）に設けられている。